(57)【要約】【課題】入球口への入球ルートに係る新規な構成を提案し、設置自由度の向上が図られる遊技機の提供を目的とする。【解決手段】本発明の遊技機１０では、遊技領域Ｒ１に、遊技球を受け止めて横方向の一方側に転動させた後にその先端から遊技球を落下させる上側転動面１２０Ｍが設けられている。そして、その上側転動面１２０Ｍの下側には、横方向の一方側に開放した第２始動入賞口１４ＢＫと、前後方向に沿って移動可能に構成され、上側転動面１２０Ｍの先端から落下する遊技球を途中で受け止めて第２始動入賞口１４ＢＫ側に転動させる状態と、上側転動面１２０Ｍの先端から落下する遊技球を落下させる状態と、に変化する始動可変部材１４ＢＴと、が設けられている。【選択図】図３
2019165947.tif 000002
【特許請求の範囲】
【請求項１】
遊技領域を前面側に形成する遊技盤と、
前記遊技領域を流下する遊技球が入球可能な入球口と、を有する遊技機において、
前記遊技領域には、遊技球を受け止めて横方向の一方側に転動させた後にその先端から遊技球を落下させる転動部が設けられ、
前記入球口は、前記転動部の下側で前記横方向の一方側に開放しており、
前記転動部の下側で前後方向に沿って移動可能に構成され、前記転動部の先端から落下する遊技球を途中で受け止めて前記入球口側に転動させる第１状態と、前記転動部の先端から落下する遊技球を落下させる第２状態と、に変化する可変部材を有する、遊技機。
【請求項２】
前記第１状態の前記可変部材に対して横方向の一方側から対向する縦壁を有する、請求項１に記載の遊技機。
【請求項３】
前記縦壁は、前記第１状態の前記可変部材との間に遊技球１個分以上の隙間を形成する、請求項２に記載の遊技機。
【請求項４】
前記入球口の下側には、前記転動部の先端から落下する遊技球を受け止めて横方向の他方側に転動させる下側転動部が設けられている、請求項１乃至３のうち何れか１の請求項に記載の遊技機。
【請求項５】
前記転動部との間に遊技球の落下口を形成すると共に、前記転動部を転動してきた遊技球を前記落下口に誘導するガイド部を有する、請求項１乃至４のうち何れか１の請求項に記載の遊技機。
【請求項６】
前記ガイド部は、上側へ向かうにつれて横方向の他端側へ向かうように湾曲して前記落下口を上側から覆う円弧状に形成された、請求項５に記載の遊技機。
【発明の詳細な説明】
【技術分野】
【０００１】
遊技領域を流下する遊技球が入球可能な入球口を有する遊技機に関する。
【背景技術】
【０００２】
特許文献１の遊技機では、上側に開放した大入賞口が前後にスライドする可変部材によって開閉される。可変部材は、遊技球の転動路の床部分の一部を構成し、大入賞口を閉じた状態で大入賞口に入球しない遊技球を下流側に流下させる橋渡し的な役割を担っている。
【先行技術文献】
【特許文献】
【０００３】
【特許文献１】特開２０１２−２３５９１６号（段落［０１２７］〜［０１３２］、図１９〜２０）
【発明の概要】
【発明が解決しようとする課題】
【０００４】
ところで、特許文献１の遊技機において、可変部材の上を転動する遊技球の転動先に入球口を配置する構成が考えられる。しかしながら、この構成では、入球口への入球ルートが横長になり、設置自由度が低いという問題があった。
【０００５】
本発明は、入球口への入球ルートに係る新規な構成を提案し、設置自由度の向上が図られる遊技機の提供を目的とする。
【課題を解決するための手段】
【０００６】
上記課題を解決するためになされた請求項１の発明は、遊技領域を前面側に形成する遊技盤と、前記遊技領域を流下する遊技球が入球可能な入球口と、を有する遊技機において、前記遊技領域には、遊技球を受け止めて横方向の一方側に転動させた後にその先端から遊技球を落下させる転動部が設けられ、前記入球口は、前記転動部の下側で前記横方向の一方側に開放しており、前記転動部の下側で前後方向に沿って移動可能に構成され、前記転動部の先端から落下する遊技球を途中で受け止めて前記入球口側に転動させる第１状態と、前記転動部の先端から落下する遊技球を落下させる第２状態と、に変化する可変部材を有する、遊技機である。
【発明の効果】
【０００７】
上記発明によれば、入球口への入球ルートに係る新規な構成を提案し、設置自由度の向上が図られる。
【図面の簡単な説明】
【０００８】
【図１】本発明の一実施形態に係る遊技機の正面図
【図２】遊技盤の正面図
【図３】第２始動入賞装置周辺の正断面図
【図４】始動可変部材が始動退避位置に配置されたときの第２始動入賞装置の（Ａ）平断面図、（Ｂ）側断面図
【図５】始動可変部材が始動突出位置に配置されたときの第２始動入賞装置の（Ａ）平断面図、（Ｂ）側断面図
【図６】始動可変部材の（Ａ）平面図、（Ｂ）正面図、（Ｃ）右側面図
【図７】遊技盤の前面と規制突部の間に挟まれた遊技球と球当接部の配置を示す（Ａ）正断面図、（Ｂ）側断面図
【図８】遊技盤の前面と規制突部の間に挟まれた遊技球と球当接部の配置を示す（Ａ）正断面図、（Ｂ）側断面図
【図９】峰部の曲率半径が遊技球の半径より小さい場合の球噛みを説明するための図
【図１０】受止傾斜面及び減勢突部の側断面図
【図１１】（Ａ）受止傾斜面により跳ね返された遊技球の様子を示す側断面図、（Ｂ）減勢突部と衝突する遊技球の様子を示す側断面図、（Ｃ）受止傾斜面と減勢突部に挟まれる遊技球の様子を示す側断面図
【発明を実施するための形態】
【０００９】
図１に示されるように、本実施形態に係る遊技機１０は、図２に示される遊技盤１１を前面枠１０Ｚで覆ってなり、その前面枠１０Ｚに形成されたガラス窓１０Ｗを通して、遊技盤１１の前面側に形成された遊技領域Ｒ１（図２参照）の全体が視認可能となっている。なお、遊技領域Ｒ１は、遊技盤１１の前面から突出した略円形のガイドレール１２に囲まれている。
【００１０】
前面枠１０Ｚのうちガラス窓１０Ｗより下方には、上皿２６と下皿２７が上下２段にして設けられ、下皿２７の右側には、発射用ハンドル２８が備えられている。そして、発射用ハンドル２８が回動操作されると、上皿２６に収容された遊技球が発射装置（図示せず）によって１球ずつ遊技領域Ｒ１に向けて弾き出される。
【００１１】
図２に示されるように、遊技盤１１のうち遊技領域Ｒ１の中央には、表示開口１１Ｈが貫通形成されていて、その表示開口１１Ｈに遊技盤１１の裏面側から表示装置１３が対向している。表示装置１３は、例えば、液晶モジュールで構成され、遊技に関する演出を行う表示画面１３Ｇを前面に有する。
【００１２】
遊技盤１１の前面中央には、表示画面１３Ｇを囲むように表示装飾枠２３が取り付けられている。表示装飾枠２３は、遊技盤１１の前面側から表示開口１１Ｈに嵌め込まれると共に、遊技盤１１の前面より前側に突出している。これにより、遊技領域Ｒ１を流下する遊技球が、表示装飾枠２３を乗り越えて表示装飾枠２３の内側に進入することが規制されている。
【００１３】
遊技領域Ｒ１のうち表示装飾枠２３より下側部分の横方向の中央部には、第１始動入賞口１４ＡＫが設けられている。第１始動入賞口１４ＡＫは、遊技球が１つずつ入球可能な大きさの開口を上部に有するポケット構造をなしている。
【００１４】
第１始動入賞口１４ＡＫの下方には、第１大入賞部１５Ａが設けられている。第１大入賞部１５Ａは、右側に開放した第１大入賞口１５ＡＫと、第２大入賞口１５ＡＫの右側に配置された第１可変部材１５ＡＴと、を備えている。第１可変部材１５ＡＴは、左下り傾斜し、遊技盤１１の前面から突出した第１突出位置と、該第１突出位置より突出が抑えられた第１退避位置と、の間をスライド可能に構成されている。そして、第１可変部材１５ＡＴが第１突出位置に配置されたときに、第１可変部材１５ＡＴを案内にして遊技球が第１大入賞口１５ＡＫに入球可能となり、第１可変部材１５ＡＴが第１退避位置に配置されたときに、遊技球が第１大入賞口１５ＡＫに入球困難となる。
【００１５】
遊技領域Ｒ１のうち表示装飾枠２３の右側には、始動ゲート１８が設けられている。始動ゲート１８は、遊技領域Ｒ１を流下する遊技球が潜って通過可能な門形状に形成されている。始動ゲート１８を遊技球が通過すると、普通図柄当否判定が行われる。
【００１６】
始動ゲート１８の下方には、第２始動入賞装置１４Ｂが設けられている。第２始動入賞装置１４Ｂは、左側に開放した第２始動入賞口１４ＢＫと、第２始動入賞口１４ＢＫの左側で右下がりに傾斜した始動可変部材１４ＢＴと、を備えている。始動可変部材１４ＢＴは、遊技盤１１の前面から突出した始動突出位置と該始動突出位置より突出が抑えられた始動退避位置との間をスライド可能に構成されていて、通常は、始動退避位置に配置され、上述した普通図柄当否判定の結果が当りになると、所定の期間だけ始動突出位置に配置される。そして、始動可変部材１４ＢＴが始動突出位置に配置されたときに、始動可変部材１４ＢＴを案内にして遊技球が第２始動入賞口１４ＢＫに入球可能となり、始動可変部材１４ＢＴが始動退避位置に配置されたときに、遊技球が始動入賞口１４ＢＫに入球困難となる。
【００１７】
第２始動入賞装置１４Ｂの下方には、第２大入賞装置１５Ｂが設けられている。第２大入賞装置１５Ｂは、上側に開放した第２大入賞口１５ＢＫと、第２大入賞口１５ＢＫを開閉する第２可変部材１５ＢＴと、を備えている。第２可変部材１５ＢＴは、遊技盤１１の前面から突出した第２突出位置と、該第２突出位置より突出が抑えられた第２退避位置と、の間をスライド可能に構成されている。そして、第２可変部材１５ＢＴが第２突出位置に配置されたときに、第２大入賞口１５ＢＫが閉塞されて遊技球が第２大入賞口１５ＢＫに入球困難となり、第２可変部材１５ＢＴが第２退避位置に配置されたときに、第２大入賞口１５ＢＫが開放されて遊技球が第２大入賞口１５ＢＫに入球可能となる。
【００１８】
第１始動入賞口１４ＡＫ又は第２始動入賞口１４ＢＫに遊技球が入球すると、所定数の遊技球が賞球として上皿２６（図１参照）に払い出されると共に、特別図柄当否判定が行われる。特別図柄当否判定の結果は、表示画面１３Ｇに表示される。
【００１９】
表示画面１３Ｇに特別図柄当否判定の結果が当りであることが表示されると、大当り遊技が実行され、第１大入賞口１５ＡＫ又は第２大入賞口１５ＢＫに遊技球が入球可能となる。第１大入賞口１５ＡＫ又は第２大入賞口１５ＢＫに遊技球が入球すると、所定数の遊技球が賞球として払い出される。
【００２０】
遊技領域Ｒ１には、上述した入賞口１４ＡＫ，１４ＢＫ，１５ＡＫ，１５ＢＫのほかに、上方又は側方に開放して遊技球が常時入球可能な一般入賞口２０が複数設けられている。また、遊技領域Ｒ１の下端部、具体的には、第１可変部材１５ＡＫの下方には、何れの入賞口にも入球しなかった遊技球を遊技領域Ｒ１の外側に排出するためのアウト口１６が設けられている。さらに、遊技領域Ｒ１には、遊技球の流下方向をランダムに変更するための障害釘Ｋが多数植設されている。
【００２１】
［第２始動入賞口１４ＢＫへの入球ルート］
図３に示されるように、始動ゲート１８の下方には、第１流路構成体１１０と第２流路構成体１２０とが左から順に並べて設けられている。そして、第１流路構成体１１０と表示装飾枠２３との間に第１流路１０１が形成され、第１流路構成体１１０と第２流路構成体１２０との間に第２流路１０２が形成され、第２流路構成体１２０とガイドレール１２との間に第３流路１０３が形成されている。第１流路１０１、第２流路１０２及び第３流路１０３は、それぞれ遊技球が１つずつ通過可能な幅に形成されている。
【００２２】
第１流路構成体１１０は、略台形状の本体部１１１と、本体部１１１から左側に延設された誘導壁部１１２とを有している。具体的には、本体部１１１は、上側へ向かうにつれて横幅が狭くなる台形状に形成され、本体部１１１の右側面は下面に対して略垂直で、本体部１１１の左側面は左下がりに傾斜している。
【００２３】
誘導壁部１１２は、本体部１１１の左下隅部から左側に延びる直線部１１２Ａと、直線部１１２Ａの左端部から左下がりに湾曲する湾曲部１１２Ｂと、湾曲部１１２Ｂの下端から下方に延びる垂下部１１２Ｃと、を有している。直線部１１２Ａの下面は本体部１１１の下面と面一になっている。なお、垂下部１１２Ｃは、直線部１１２Ａ及び湾曲部１１２Ｂと比べて、遊技盤１１からの突出量が小さくなっている。
【００２４】
ここで、表示装飾枠２３には、誘導壁部１１２に沿って延びる装飾対向壁部２３Ｗが設けられていて、この装飾対向壁部２３Ｗと誘導壁部１１２との間に上述した第１流路１０１が形成されている。なお、装飾対向壁部２３Ｗは、垂下部１１２Ｃよりも下側に延びている。
【００２５】
第２流路構成体１２０は、第１流路構成体１１０の本体部１１１に対して右下側に配置された正面視略四角形状の本体部１２１と、本体部１２１から上方に張り出した上側張出部１２２と、本体部１２１から左方に張り出した左側張出部１２３と、を有している。詳細には、本体部１２１は、水平方向に沿って延在する上面及び下面と、鉛直方向に沿って延在する左側面及び右側面と、を有している。より詳細には、本体部１２１の左側面と右側面が下方へ向かうにつれて互いに若干離れるように傾斜し、本体部１２１の上面は左下がりに若干傾斜し、本体部１２１の下面は右下がりに若干傾斜している。
【００２６】
図３に示されるように、第２流路構成体１２０の上側張出部１２２は、本体部１２１の右上隅部から張り出している。そして、第２流路構成体１２０の本体部１２１及び上側張出部１２２と、ガイドレール１２との間に、上述した第３流路１０３が形成されている。なお、上側張出部１２２の右側面は、本体部１２１の右側面と面一になっていて、第３流路１０３は、直線状に形成されている。
【００２７】
上側張出部１２２は、第１流路構成体１１０の本体部１１１に右側から対向し、上側張出部１２２と該本体部１１１との間には、遊技球が１つずつ通過可能な通路が形成されている。また、第２流路構成体１２０の左側張出部１２３は、本体部１２１の左上隅部から張り出して、第１流路構成体１１０の本体部１１１に下側から対向する。左側張出部１２３と該本体部１１１との間にも、遊技球が１つずつ通過可能な通路が形成されている。そして、第１流路構成体１１０と第２流路構成体１２０との間に、遊技球が１つずつ通過可能であって逆Ｌ字状をなす流路が形成され、この流路が上述した第２流路１０２となっている。
【００２８】
なお、上側張出部１２２の左側面は、第１流路構成体１１０の本体部１１１の右側面と略平行に形成されている。また、左側張出部１２３の上面は、本体部１２１の上面と面一になっていて、第１流路構成体１１０の本体部１１１の下面と略平行になっている。
【００２９】
第２流路構成体１２０の本体部１２１の上面と左側張出部１２３の上面は、第２流路１０２内の遊技球を受け止めて左側へ転動させる上側転動面１２０Ｍを形成する。また、第２流路構成体１２０の左側張出部１２３と第１流路構成体１１０の垂下部１１２Ｃとの間には、上側転動面１２０Ｍの上を転動してきた遊技球を１つずつ落下可能な落下口１０２Ｋが形成されている。
【００３０】
第２流路構成体１２０の本体部１２１には、左側に開口する凹部１２１Ａが形成されている。凹部１２１Ａの開口端寄り位置には、上述した第２始動入賞口１４ＢＫとしての球検出センサが備えられている。第２始動入賞装置１４Ｂの始動可変部材１４ＢＴは、第１流路構成体１１０の誘導壁部１１２と第２始動入賞口１４ＢＫとの間に配置され、始動突出位置に配置されたときに落下口１０２Ｋから落ちてくる遊技球を受け止め可能となっている。
【００３１】
図３に示されるように、始動可変部材１４ＢＴに受け止められなかった遊技球は、第１流路構成体１１０及び第２流路構成体１２０の下方に設けられた第３流路構成体１３０に受け止められる。第３流路構成体１３０は、右側に尖った三角形状をなして、右下がりに傾斜する下側転動面１３０Ｍを上部に有する。第３流路構成体１３０とガイドレール１２との間には、遊技球が通過可能な落下口１０５が形成されている。第３流路構成体１３０は、表示装飾枠２３の装飾対向壁部２３Ｗに隣接し、下側転動面１３０Ｍは、第１流路１０１を流下してきた遊技球も受け止め可能となっている。
【００３２】
なお、遊技盤１１の前面には、第２流路構成体１２０の上側転動面１２０Ｍの上を転動する遊技球と第３流路構成体１３０の下側転動面１３０Ｍの上を転動する遊技球の勢いを低減するための複数の減勢突部１０４が設けられている。
【００３３】
このように、本実施形態の遊技機１０では、始動突出位置に配置された始動可変部材１４ＢＴが、落下口１０２Ｋから落下する遊技球を受け止めて、第２始動入賞口１４ＢＫに誘導する構成となっている。この構成では、始動可変部材１４ＢＴは、上側転動面１２０Ｍの上を左側へ転動してきた遊技球を受け止めて、その遊技球を右側へ折り返させることになるので、第２始動入賞口１４ＢＫへの入球ルートが横長になることが抑えられ、第２始動入賞口１４ＢＫの設置自由度の向上が図られる。また、遊技機１０では、図３に示されるように、始動突出位置に配置された始動可変部材１４ＢＴに左側から表示装飾枠２３の装飾対向壁部２３Ｗが対向するので、遊技球が始動可変部材１４ＢＴの上に左側から転動してくることが抑制される。言い換えれば、落下口１０２Ｋを通過しない遊技球が第２始動入賞口１４ＢＫに入球することが抑制され、第２始動入賞口１４ＢＫへの入球ルートが絞られる。
【００３４】
また、遊技機１０では、始動可変部材１４ＢＴの左側に配置される誘導壁部１１２の垂下部１１２Ｃは、直線部１１２Ａ及び湾曲部１１２Ｂよりも遊技盤１１からの突出量が小さくなっていて、垂下部１１２Ｃとその左側に位置する装飾対向壁部２３Ｗとの間には、遊技球が１つずつ通過可能な第１流路１０１が形成されている。従って、始動可変部材１４ＢＴに受け止められた遊技球が左側、即ち、第１流路１０１側に落ちる可能性もあり、始動可変部材１４ＢＴに受け止められた遊技球の転動方向について遊技者に興味を持たせることが可能となる。
【００３５】
また、遊技機１０では、始動可変部材１４ＢＴが始動退避位置に配置されたときには、落下口１０２Ｋから落下する遊技球は、始動可変部材１４ＢＴに受け止められることなく、その下方に配置された第３流路構成体１３０の下側転動面１３０Ｍに受け止められる。このように、始動可変部材１４ＢＴが始動突出位置に配置されるか、始動退避位置に配置されるかによって、第２流路１０２を流下してきた遊技球の行先を変化させることが可能となり、趣向性の向上を図ることが可能となる。しかも、下側転動面１３０Ｍは、右下がりに傾斜するので、第２始動入賞口１４ＢＴに入球しなかった遊技球についても右側に折り返させることが可能となる。
【００３６】
また、遊技機１０では、落下口１０２Ｋが、第２流路構成体１２０において上側転動面１２０Ｍを形成する左側張出部１２３と、第１流路構成体１１０の誘導壁部１１２と、の間に形成されているので、上側転動面１２０Ｍの上を転動してきた遊技球を誘導壁部１１２に衝突させて落下口１０２Ｋに誘導し易くなる。また、誘導壁部１１２は、左下がりに湾曲する湾曲部１０２Ｂを有するので、上側転動路１２０Ｍを転動してきた遊技球をスムーズに落下口１０２Ｋへと誘導することが可能となる。
【００３７】
［第２始動入賞口１４ＢＫへの入球規制］
遊技機１０では、始動可変部材１４ＢＴが始動退避位置に配置された状態での第２始動入賞口１４ＢＫへの入球を規制するために、始動可変部材１４ＢＴが以下の構成を採っている。即ち、始動可変部材１４ＢＴは、図４及び図５に示されるように、ベース部１４１と、該ベース部１４１から前側に張り出した前側張出部１４２と、前側張出部１４２の前端部から上側に突出する規制突部１４３と、を備えている。そして、始動可変部材１４ＢＴが始動退避位置に配置されると（図４参照）、規制突部１４３は、第２始動入賞口１４ＢＫに左側から重なって入球を規制する。始動可変部材１４ＢＴが始動突出位置に配置されると（図５参照）、規制突部１４３は、第２始動入賞口１４ＢＫよりも前側に配置されて入球を許容する。
【００３８】
詳細には、図６（Ａ）に示されるように、ベース部１４１は、平面視略矩形状に形成されていて、前側張出部１４２は、ベース部１４１の右端寄り部分から張り出している。なお、図６（Ｂ）に示されるように、ベース部１４１は、右下がりに傾斜する板状部分を主要部として備えている。
【００３９】
図６（Ａ）に示されるように、前側張出部１４２は、右側へ向かうにつれてベース部１４１からの突出量が大きくなった迫出部１４２Ａと、迫出部１４２Ａから右側に延設されてベース部１４１からの突出量が一定となった帯部１４２Ｂと、からなる。迫出部１４２Ａの左側を向く端縁部は、右側へ向かうにつれて前側を向くように湾曲した円弧状に形成されている。なお、ベース部１４１と帯部１４２Ｂは、右端を揃えて配置されている。また、ベース部１４１及び迫出部１４２Ａによって形成されるＬ字状部分の内縁部の上面は、そのＬ字の内側へ向かって下るように傾斜している（図６（Ｃ）参照）。
【００４０】
図６（Ａ）及び図６（Ｂ）に示されるように、規制突部１４３は、前側張出部１４２の帯部１４２Ｂに突設されている。図６（Ｃ）に示されるように、規制突部１４３は、上側へ向かうにつれて前後に狭くなる略台形状に形成されていて、規制突部１４３の前面１４３Ｆは、略鉛直に配置され、規制突部１４３の後面１４３Ｂは、下側へ向かうにつれて徐々に後側を向くように湾曲した円弧状に形成されている。
【００４１】
図６（Ａ）〜図６（Ｃ）に示されるように、規制突部１４３の上面１４３Ｊは、左右方向の略中央で尖った山状に形成されていて、峰部１４４と、峰部１４４の左側で左下がりに傾斜した左向き傾斜部１４４Ｌと、峰部１４４の右側で右下がりに傾斜した右向き傾斜部１４４Ｒと、からなる。また、規制突部１４３の後面１４３Ｂも、上面１４３Ｊと同様に、左右方向の略中央で尖った山状に形成されていて、峰部１４５と、峰部１４５の左側で左下がりに傾斜した左向き傾斜部１４５Ｌと、峰部１４５の右側で右下がりに傾斜した右向き傾斜部１４５Ｒと、からなる。峰部１４５は、上面１４３Ｊの峰部１４４に連絡する。このように、規制突部１４３において上側を向く部分を構成する上面１４３Ｊと後面１４３Ｂは共に、左右方向の略中央で尖った山状に形成されている。
【００４２】
図４に示されるように、始動可変部材１４ＢＴが始動退避位置に配置された状態では、ベース部１４１が遊技盤１１の前面より後側に配置され、前側張出部１４２の一部が遊技盤１１の前面より前側に飛び出る。ここで、図４（Ａ）に示されるように、前側張出部１４２のうち遊技盤１１より前側に突出する部分は、図３で示した落下口１０２Ｋ（図４（Ａ）では２点鎖線で示されている。）よりも左側に配置される。従って、落下口１０２Ｋから落下した遊技球が始動可変部材１４ＢＴに受け止められることがない。
【００４３】
始動可変部材１４ＢＴが始動退避位置に配置された状態では、規制突部１４３は、横方向から見て第２始動入賞口１４ＢＫの中央部と重なるように配置される（図４（Ｂ）参照）。具体的には、規制突部１４３の突出高さは、遊技球１／２個分となっていて、規制突部１４３の上端部が第２始動入賞口１４ＢＫの中央部に重ねられる。これにより、第２始動入賞口１４ＢＫへの遊技球の入球が規制される。
【００４４】
図５に示されるように、始動可変部材１４ＢＴが始動突出位置に配置されると、ベース部１４１が遊技盤１１の前面より前側に飛び出して遊技球を受け止め可能となり、遊技盤１１に前側から対向するフロントカバー１４６とベース部１４１との間の間隔が遊技球の半径より小さくなる。従って、始動可変部材１４ＢＴが始動突出位置に配置された状態では、ベース部１４１によって受け止められた遊技球がベース部１４１の前側に落ちることがなくなる。
【００４５】
始動可変部材１４ＢＴが始動突出位置に配置された状態では、前側張出部１４２の前端部と規制突部１４３が、フロントカバー１４６に形成された収容孔１４６Ａの中に収容される（図５（Ｂ）参照）。そして、規制突部１４３は、第２始動入賞口１４ＢＫよりも前側に配置され、横方向から見て第２始動入賞口１４ＢＫと重ならなくなる。これにより、第２始動入賞口１４ＢＫへの遊技球の入球が許容される。
【００４６】
なお、ベース部１４１は、遊技盤１１を前後に貫通する組付孔１４０Ａに挿通されている（図４（Ａ）参照）。組付孔１４０Ａの右端部は、規制突部１４３を収容可能な大きさに形成されていて（図４（Ｂ）参照）、始動可変部材１４Ｂは、遊技盤１１の後側から組付孔１４０Ａに組み付け可能となっている。
【００４７】
［始動可変部材１４Ｂによる球噛み対策］
本実施形態では、始動可変部材１４ＢＫが始動突出位置（図５参照）から始動退避位置（図４参照）へ移動するときに、始動可変部材１４ＢＫの上を転動中の遊技球が規制突部１４３と遊技盤１１の前面に挟まれて、球噛みする可能性がある。この球噛みの対策として、本実施形態では、まず、規制突部１４３の後面１４３Ｂに峰部１４５が設けられることで、規制突部１４３と遊技盤１１の前面との間に挟まれた遊技球が左右の何れか一方に移動し易くなっている。
【００４８】
ところで、規制突部１４３に峰部１４５を備えていても、例えば、峰部１４５の真後ろに遊技球の中心が配置されていると、峰部１４５と遊技盤１１の前面との間に遊技球が挟まれて、球噛みする可能性がある。この球噛みを解決するための第１の手段として、本実施形態では、図７（Ｂ）に示されるように、規制突部１４３の後面１４３Ｂの峰部１４５は、その最下部における曲率半径が遊技球の半径より大きくなるように形成されている。ここで、峰部１４５の最下部における曲率半径が遊技球の半径より小さくなっていると、図９（Ａ）から図９（Ｂ）への変化に示されるように、始動可変部材１４ＢＴが始動退避位置に移動するときに遊技盤１１と規制突部１４３の間に挟まれた遊技球は、遊技盤１１の前面と、始動可変部材１４ＢＴのベース部１４１と、規制突部１４３の後面１４３Ｂの峰部１４５と、の３点で支持されることになり、該遊技球が左右方向に移動し難くなり、球噛みし易くなる。これに対し、本実施形態では、峰部１４５の最下部における曲率半径が遊技球の半径より大きくなっているので、図８（Ｂ）に示されるように、始動可変部材１４ＢＴが始動退避位置に移動するときに遊技盤１１と規制突部１４３の間に挟まれた遊技球は、始動可変部材１４ＢＴの移動に伴って規制突部１４３の峰部１４５にすくい上げられる。その結果、遊技球は、遊技盤１１の前面と峰部の２点で支持されることになり、図９に示した場合よりも該遊技球が左右方向に移動し易くなり、球噛みが発生し難くなる。
【００４９】
第１の手段と同様の効果を奏する別の構成としては、規制突部１４３の後面１４３Ｂ（峰部１４５）を後下がりに傾斜した傾斜面とする構成が挙げられる。なお、上述のように、後面１４３Ｂが湾曲面となっている構成では、規制突部１４３を高くしつつ、始動可変部材１４ＢＴが始動突出位置に配置されたときに規制突部１４３を第２始動入賞口１４ＢＫよりも前側に配置することが容易となる。
【００５０】
本実施形態では、第１の手段に次ぐ第２の手段として、規制突部１４３の峰部１４５にすくい上げられた遊技球と当接して、その遊技球を左右方向の何れか一方にずらす球当接部１５０を備えている。図７（Ａ）及び図８（Ａ）に示されるように、球当接部１５０は、第２流路構成体１２０の本体部１２１のうち、規制突部１４３に上側から対向する壁部、具体的には、本体部１２１のうち収容部１２１Ａの天井壁１２１Ｔから下側に突出した当接突部１５１で構成されている。
【００５１】
ここで、当接突部１５１の突出量は、始動可変部材１４ＢＴの始動退避位置への移動に伴って規制突部１４３の峰部１４５によってすくい上げられた遊技球が天井壁１２１Ｔに衝突する前に該遊技球と当接する大きさに設定されている。また、図７（Ａ）に示されるように、当接突部１５１は、規制突部１４３（詳細には、規制突部１４３の峰部１４５）に対して左右方向にずれて配置されている。これにより、峰部１４５によってすくい上げられた遊技球を左右方向の何れか一方に移動させることが可能となり、球噛みが抑制される。なお、図７（Ａ）の例では、当接突部１５１は、規制突部１４３に対して第２始動入賞口１４ＢＫに近い側に配置されているが、遠い側に配置されてもよい。
【００５２】
また、図７（Ｂ）に示されるように、当接突部１５１は、左右方向から見て第２始動入賞口１４ＢＫと重ならないように配置されている。これにより、当接突部１５１が第２始動入賞口１４ＢＫへの入球の妨げになることが防がれている。
【００５３】
なお、本実施形態では、当接突部１５１は、棒状に形成されているが、半球状に形成されてもよいし、板状に形成されてもよい。後者の場合、当接突部１５１は、遊技盤１１の前面に連絡してもよい。
【００５４】
本実施形態の遊技機１０によれば、規制突部１４３と遊技盤１１の前面との間に挟まれた遊技球が球当接部１５０によって横方向にずらされるので、球噛みが抑制される。しかも、球当接部１５０は、規制突部１４３に上側から対向する天井壁１２１Ｔに突設された当接突部１５１により構成されているので、規制突部１４３と遊技盤１１の前面との間に挟まれた遊技球が規制突部１４３によって上側に持ち上げられた場合に、その遊技球に当接突部１５１が当接して該遊技球を横方向にずらすことが可能となる。また、この構成によれば、遊技盤１１に形成された組付孔１４０Ａとの関係で球当接部１５０を遊技盤１１の前面に設けることができない場合であっても、球噛みを抑制することが可能となる。
【００５５】
［第２始動入賞口１４ＢＫへのイレギュラー入球対策］
上述したように、始動可変部材１４ＢＴが始動退避位置に配置された状態では、落下口１０２Ｋから落下した遊技球は、始動可変部材１４ＢＴに受け止められることなく、第３流路構成体１３０へ向かって落下する。ここで、始動可変部材１４ＢＴに受け止められなかった遊技球が、第３流路構成体１３０によって上側に跳ね返されても、通常は、上述した規制突部１４３によって第２始動入賞口１４ＢＫへの入球が規制される。しかしながら、遊技球が始動可変部材１４ＢＴより上側まで跳ね上がったタイミングで始動可変部材１４ＢＴが始動突出位置へと移動すると、その始動可変部材１４ＢＴに受け止められて第２始動入賞口１４ＢＫへ入球する可能性がある。即ち、第２始動入賞口１４ＢＫに入球しないはずの遊技球が跳ね返りによって入球してしまうイレギュラー入球が発生する可能性がある。
【００５６】
本実施形態の遊技機１０では、イレギュラー入球を抑制するための第１の手段として、図１０及び図１１（Ａ）に示されるように、始動可変部材１４ＢＴに受け止められなかった遊技球を受け止める第３流路構成体１３０に、第２始動入賞口１４ＢＫ側、即ち、右側とは異なる方向に遊技球を跳ね返す跳ね返し部１６１が設けられている。具体的には、第３流路構成体１３０の下側転動面１３０Ｍには、水平面に対して前後方向に傾斜して遊技球を前後方向に跳ね返す受止傾斜面１６２が設けられ、この受止傾斜面１６２によって跳ね返し部１６１が構成されている。本実施形態では、受止傾斜面１６２は、下側転動面１３０Ｍのうち遊技盤１１に近い側の部分で前下がりに傾斜することで遊技球を斜め上前方に跳ね返すように構成されているが（図１１（Ａ）参照）、下側転動面１３０Ｍのうち遊技盤１１から遠い側の部分で後下がりに傾斜することで遊技球を斜め上後方に跳ね返すように構成されてもよい。
【００５７】
図３に示されるように、受止傾斜面１６２は、下側転動面１３０Ｍが延びる方向（即ち、下側転動面１３０Ｍによって遊技球が転動される方向）に沿って延在する。具体的には、落下口１０２Ｋの下方位置と第１流路１０１の下方位置の両方に跨って配置されている。
【００５８】
なお、受止傾斜面１６２の水平面に対する傾斜角は、４５度以上となっていて、受止傾斜面１６２によって跳ね返された遊技球は、図１１（Ａ）に示されるように、第２始動入賞口１４ＢＫと同じ高さまで跳ね返されるより前に、遊技盤１１やフロントカバー１４６と衝突し易くなっている（遊技盤１１には、フロントカバー１４６に跳ね返された遊技球が衝突する。）。そして、受止傾斜面１６２によって跳ね返された遊技球は、遊技盤１１又はフロントカバー１４６との衝突により減勢されることで、第２始動入賞口１４ＢＫと同じ高さに到達し難くなっている。
【００５９】
このように、本実施形態の遊技機１０では、第３流路構成体１３０の下側転動面１３０Ｍに設けられた跳ね返し部１６１（受止傾斜面１６２）によって、第２始動入賞口１４ＢＫが位置する右側とは異なる方向（具体的には、前側）に遊技球を跳ね返すことができるので、遊技球が第２始動入賞口１４ＢＫに到達することが抑制される。これにより、第２始動入賞口１４ＢＫに入球しなかった遊技球が下側転動面１３０Ｍに跳ね返されて入球するイレギュラー入球が抑制される。
【００６０】
また、本実施形態の遊技機１０では、イレギュラー入球を抑制するための第２の手段として、図１０及び図１１（Ｂ）に示されるように、始動可変部材１４ＢＴに受け止められなかった遊技球が第３流路構成体１３０に受け止められるより前に、その遊技球と衝突して該遊技球の勢いを低減可能な減勢部１６５を備えている。具体的には、減勢部１６５は、落下口１０２Ｋの下方空間を前後方向に挟む遊技盤１１とフロントカバー１４６のうち少なくとも一方の部材に形成された減勢突部１６６により構成されている。なお、本実施形態では、減勢突部１６６が、フロントカバー１４６にのみ形成されているが、遊技盤１１にのみ形成されてもよいし、遊技盤１１とフロントカバー１４６の両方に形成されてもよい。
【００６１】
詳細には、減勢突部１６６は、受止傾斜面１６２と同様に、下側転動面１３０Ｍが延びる方向（即ち、下側転動面１３０Ｍによって遊技球が転動される方向）に沿って延在する突条であって、詳細には、落下口１０２Ｋの下方位置と第１流路１０１の下方位置の両方に跨って配置されている。なお、減勢突部１６６の先端部は、断面半円状に形成されている。
【００６２】
このように、本実施形態の遊技機１０では、落下口１０２Ｋから落下した遊技球が下側転動面１３０Ｍに受け止められる前に、その遊技球の勢いを減勢突部１６６によって低減可能となっているので、下側転動面１３０Ｍに跳ね返された遊技球が第２始動入賞口１４ＢＫに到達することが抑制される。これによっても、イレギュラー入球が抑制される。
【００６３】
また、本実施形態の遊技機１０では、図１０に示されるように、受止傾斜面１６２と減勢突部１６５は、前後方向で対向する。従って、受止傾斜面１６２によって前側に跳ね返された遊技球は、減勢突部１６５との衝突により減勢され易くなり、減勢突部１６５によって減勢された遊技球は、受止傾斜面１６２に跳ね返され易くなる。また、受止傾斜面１６２が前下がりに傾斜し、減勢突部１６５がフロントカバー１４６から後方に突出していることから、落下口１０２Ｋの下方で遊技盤１１とフロントカバー１４６に挟まれた空間は、受止傾斜面１６２と減勢突部１６５によって前後方向に狭められている、とも言える。そして、この空間の狭まりによって、落下口１０２Ｋから落下した遊技球は、減勢され易くなっている。
【００６４】
詳細には、受止傾斜面１６２と減勢突部１６５の間隔は、遊技球１個分より小さくなっている。また、減勢突部１６５は、受止傾斜面１６２との間に挟む遊技球が下側転動面１３０Ｍに接触しない高さに配置されている。従って、図１１（Ｃ）に示されるように、始動可変部材１４ＢＴに受け止められなかった遊技球は、受止傾斜面１６２と減勢突部１６５の間に挟まれることがある。ここで、受止傾斜面１６２と減勢突部１６５は、上述の如く下側転動面１３０Ｍに沿って延在し、右下がりに傾斜している。従って、受止傾斜面１６２と減勢突部１６５は、遊技球を間に挟んで右側へ移動させることも可能となっている。
【００６５】
以下、本実施形態の遊技機１０から抽出される発明群の特徴について、必要に応じて効果等を示しつつ説明する。なお、以下では、理解の容易のため、上記実施形態において対応する構成を括弧書き等で適宜示すが、この括弧書き等で示した具体的構成に限定されるものではない。
【００６６】
＜特徴Ａ群＞
以下の特徴Ａ群は、「遊技領域を流下する遊技球が入球可能な入球口を有する」遊技機に関し、「特許文献Ａ（特開２０１２−２３５９１６号（段落［０１２７］〜［０１３２］、図１９〜２０））の遊技機では、上側に開放した大入賞口が前後にスライドする可変部材によって開閉される。可変部材は、遊技球の転動路の床部分の一部を構成し、大入賞口を閉じた状態で大入賞口に入球しない遊技球を下流側に流下させる橋渡し的な役割を担っている。」という背景技術について、「ところで、特許文献Ａの遊技機において、可変部材の上を転動する遊技球の転動先に入球口を配置する構成が考えられる。しかしながら、この構成では、入球口への入球ルートが横長になり、設置自由度が低いという問題があった。」という課題をもってなされたものである。
【００６７】
［特徴Ａ１］
遊技領域（遊技領域Ｒ１）を前面側に形成する遊技盤（遊技盤１１）と、
前記遊技領域を流下する遊技球が入球可能な入球口（第２始動入賞口１４ＢＫ）と、を有する遊技機（遊技機１０）において、
前記遊技領域には、遊技球を受け止めて横方向の一方側に転動させた後にその先端から遊技球を落下させる転動部（上側転動面１２０Ｍ）が設けられ、
前記入球口は、前記転動部の下側で前記横方向の一方側に開放しており、
前記転動部の下側で前後方向に沿って移動可能に構成され、前記転動部の先端から落下する遊技球を途中で受け止めて前記入球口側に転動させる第１状態（始動可変部材１４ＢＴが始動突出位置に配置された状態）と、前記転動部の先端から落下する遊技球を落下させる第２状態（始動退避位置に配置された状態）と、に変化する可変部材（始動可変部材１４ＢＴが始動可変部材１４ＢＴ）を有する、遊技機。
【００６８】
本特徴に示す構成では、可変部材が第１状態のときに、転動部の先端から落下する遊技球が可変部材に受け止められて入球口に入球可能となるので、入球口への入球ルートが横長になることが抑えられ、入球口の設置自由度の向上が図られる。
【００６９】
［特徴Ａ２］
前記第１状態の前記可変部材に対して横方向の一方側から対向する縦壁（装飾対向壁部２３Ｗ）を有する、特徴Ａ１に記載の遊技機。
【００７０】
本特徴に示す構成によれば、遊技球が横方向の一方側から第１状態の可変部材の上に流下してくることが抑制される。
【００７１】
［特徴Ａ３］
前記縦壁は、前記第１状態の前記可変部材との間に遊技球１個分以上の隙間を形成する、特徴Ａ２に記載の遊技機。
【００７２】
本特徴に示す構成では、可変部材に受け止められた遊技球が縦壁側に落下する場合もあり、可変部材に受け止められた遊技球の転動方向について遊技者に興味を持たせることが可能となる。
【００７３】
［特徴Ａ４］
前記入球口の下側には、前記転動部の先端から落下する遊技球を受け止めて横方向の他方側に転動させる下側転動部（下側転動面１３０Ｍ）が設けられている、特徴Ａ１乃至Ａ３のうち何れかに記載の遊技機。
【００７４】
本特徴に示す構成では、可変部材に受け止められた遊技球と可変部材に受け止められなかった遊技球の両方を横方向の他方側に転動させることが可能となる。
【００７５】
［特徴Ａ５］
前記転動部との間に遊技球の落下口（落下口１０２Ｋ）を形成すると共に、前記転動部を転動してきた遊技球を前記落下口に誘導するガイド部（誘導壁部１１２の湾曲部１１２Ｂ）を有する、特徴Ａ１乃至Ａ４のうち何れか１に記載の遊技機。
【００７６】
本特徴に示す構成では、転動壁を転動してきた遊技球を落下口から落下させ易くなる。
【００７７】
［特徴Ａ６］
前記ガイド部は、上側へ向かうにつれて横方向の他端側へ向かうように湾曲して前記落下口を上側から覆う円弧状に形成された、特徴Ａ５に記載の遊技機。
【００７８】
本特徴に示す構成では、転動壁を転動してきた遊技球をスムーズに落下口へと誘導することが可能となる。
【００７９】
［特徴Ａ７］
遊技領域（遊技領域Ｒ１）を前面側に形成する遊技盤（遊技盤１１）と、
前記遊技領域を流下する遊技球が入球可能な入球口（第２始動入賞口１４ＢＫ）と、を有する遊技機（遊技機１０）において、
前記遊技領域には、遊技球を落下させる落下口（落下口１０２Ｋ）と、前記落下口から落下した遊技球を受け止めて転動させる受止転動部（下側転動面１３０Ｍ）と、が設けられ、
前記入球口は、前記受止転動部より上側且つ前記落下口の斜め下方に位置して横方向で前記落下口側に開放し、
前記落下口の下側で前後方向に沿って移動可能に構成され、前記落下口から落下する遊技球を途中で受け止めて前記入球口側に転動させる第１状態（始動可変部材１４ＢＴが始動突出位置に配置された状態）と、前記落下口から落下する遊技球を落下させる第２状態（始動可変部材１４ＢＴが始動退避位置に配置された状態）と、に変化する可変部材（始動可変部材１４ＢＴ）を備えた、遊技機。
【００８０】
本特徴に示す構成では、可変部材が第１状態のときに、落下口から落下する遊技球が可変部材に受け止められて入球口に入球可能となるので、入球口への入球ルートが横長になることが抑えられ、入球口の設置自由度の向上が図られる。
【００８１】
［特徴Ａ８］
前記可変部材には、前記第２状態で前記入球口に重ねられて前記入球口への入球を規制し、前記第１状態で前記入球口と重ならない位置に配置されて前記入球口への入球を許容する入球規制部（規制突部１４３）が設けられた、特徴Ａ７に記載の遊技機。
【００８２】
本特徴に示す構成によれば、可変部材が第２状態のときに、落下口から落下した遊技球が受止転動部に跳ね返されて入球口に入球することが規制される。
【００８３】
［特徴Ａ９］
遊技領域（遊技領域Ｒ１）を前面側に形成する遊技盤（遊技盤１１）と、
前記遊技領域を流下する遊技球が入球可能な入球口（第２始動入賞口１４ＢＫ）と、を有する遊技機（遊技機１０）において、
前記遊技領域を落下する遊技球を受け止めて横方向の一方側へ転動させる第１状態（始動可変部材１４ＢＴが始動突出位置に配置された状態）と、前記遊技領域を落下する遊技球を受け止めずにそのまま落下させる第２状態（始動可変部材１４ＢＴが始動退避位置に配置された状態）と、に変化する可変部材（始動可変部材１４ＢＴ）を備え、
前記入球口は、前記第１状態の前記可変部材の上を転動する遊技球の転動先に配置されて、その遊技球を受け入れ可能に構成されている、遊技機。
【００８４】
本特徴に示す構成では、可変部材が第１状態のときに、遊技領域を落下する遊技球が可変部材に受け止められて入球口に入球可能となるので、入球口への入球ルートが横長になることが抑えられ、入球口の設置自由度の向上が図られる。
【００８５】
なお、特徴Ａ７、Ａ８に示す構成に、特徴Ａ２〜Ａ６に示す構成が組み合わされてもよい。その際、特徴Ａ４の「下側転動部」を特徴Ａ７の「受止転動部」とすればよい。また、特徴Ａ９に示す構成に、特徴Ａ１〜Ａ８に示す構成が組み合わされてもよい。
【００８６】
特徴Ａ群には、上記実施形態の他に、例えば、以下に示される実施形態も含まれる。
【００８７】
（ａ１）上記実施形態では、始動可変部材１４ＢＴが始動退避位置に配置された状態で、ベース部１４１は、遊技盤１１の前面より後側に配置されていたが、フロントカバー１４６との間に遊技球１個分より大きい間隔を形成すれば、遊技盤１１の前面より前側に飛び出てもよい。この場合、落下口１０２Ｋから落下してきた遊技球は、ベース部１４１に一瞬受け止められた後、ベース部１４１及び迫出部１４２Ａにより形成されるＬ字状部分の内縁部に形成された傾斜面によって第２始動入賞口１４Ｂへ到達することなく落下させられる。
【００８８】
（ａ２）上記実施形態において、始動ゲート１８の下方には、少なくとも第２流路１０２が設けられていればよく、例えば、第１流路１０１と第２流路１０２のみ、又は、第２流路１０２と第３流路１０３のみが設けられた構成としてもよい。前者の場合には、第２流路構成体１２０をガイドレール１２と一体化した構成とすればよい。後者の場合には、第１流路構成体１１０を表示装飾枠２３と一体化するか又は第１流路構成体１１０を備えない構成とすればよい。
【００８９】
（ａ３）第２始動入賞口１４ＢＫへの入球ルートが左右逆転してもよい。即ち、上側転動面１２０Ｍが右下がりに傾斜し、始動可変部材１４ＢＴが左下がりに傾斜し、第２始動入賞口１４ＢＫが右側に開放して始動可変部材１４ＢＴより左側に配置されてもよい。
【００９０】
（ａ４）上記実施形態において、第３流路構成体１３０を備えない構成としてもよい。  
【００９１】
（ａ５）上記実施形態では、「入球口」は、特別図柄当否判定の契機となる始動入賞口であったが、大当り遊技時に開放される大入賞口であってもよい。
【００９２】
（ａ６）誘導壁部１１２を備えない構成としてもよい。また、誘導壁部１１２の代わりに上下方向に沿って延びる壁体又は道釘を備える構成としてもよい。その際、壁体又は道釘の上端は、上側転動面１２０Ｍと同じ高さに配置されてもよいし、上側転動面１２０Ｍより上側に配置されてもよい。
【００９３】
（ａ７）特徴Ａ９に含まれる構成として、第２始動入賞口１４ＢＫが上側に開放したポケット構造であってもよい。
【００９４】
＜特徴Ｂ群＞
以下の特徴Ｂ群は、「遊技球が流下可能な遊技領域を前面側に形成する遊技盤を備えた」遊技機に関し、「特許文献Ｂ（特開２０１２−２３５９１６号（段落［０１２７］〜［０１３２］、図１９〜２０））の遊技機では、前後にスライドするスライド部材が遊技盤の前面から突出したときに遊技球を受け止めて下流側へと転動させる。」という背景技術について、「特許文献Ｂの遊技機において、スライド部材が後退した状態でスライド部材より下流側に遊技球が流下することを規制するために、スライド部材に流下規制用の突起を形成することが考えられる。しかしながら、この構成では、スライド部材が後退したときに、遊技盤の前面と突起との間に遊技球が挟まれて球噛みするという問題が起こり得る。」という課題をもってなされたものである。
【００９５】
［特徴Ｂ１］
遊技球が流下可能な遊技領域（遊技領域Ｒ１）を前面側に形成する遊技盤（遊技盤１１）と、
前記遊技盤の前面から突出する前進位置（始動突出位置）と該前進位置よりも突出が抑えられた後退位置（始動退避位置）との間を移動可能であって、前記前進位置に配置された状態で横方向の一方側に遊技球を転動させるように形成された可動体（始動可変部材１４ＢＴ）と、
前記可動体に対し横方向の一方側に配置されて、前記前進位置に配置された前記可動体の上を転動してきた遊技球を受け入れ可能な入球口（第２始動入賞口１４ＢＫ）と、を備え、
前記可動体には、前記後退位置に配置された状態で前記入球口を遮って入球を規制する一方で前記前進位置に配置された状態で前記入球口から外れる進入規制部（規制突部１４３）が備えられていて、
前記可動体が前記前進位置から前記後退位置へ移動するときに、前記進入規制部と前記遊技盤の前面との間に挟まれる遊技球に当接して該遊技球を横方向にずらす球当接部（球当接部１５０）を備えた、遊技機（遊技機１０）。
【００９６】
本特徴に示す構成では、進入規制部と遊技盤の前面との間に挟まれた遊技球が球当接部によって横方向にずらされるので、球噛みが抑制される。
【００９７】
［特徴Ｂ２］
前記可動体は、遊技球を受け止めて転動させる転動部（ベース部１４１）と、前記転動部の横方向一方側の端部から前側に張り出した張出部（前側張出部１４２）と、を備え、
前記進入規制部は、前記張出部から上側に突出する突起（規制突部１４３）で構成され、
前記球当接部は、前記突起に上側から対向する対向壁（天井壁１２１Ｔ）に突設された対向突部（当接突部１５１）により構成されている、特徴Ｂ１に記載の遊技機。
【００９８】
［特徴Ｂ３］
前記可動体は、前記遊技盤を前後方向に貫通する挿通孔（組付孔１４０Ａ）に後側から挿通されて前記遊技盤に組み付けられている、特徴Ｂ２に記載の遊技機。
【００９９】
本特徴に示す構成では、張出部から突出する突起と遊技盤の前面との間に挟まれた遊技球が突起によって上側に持ち上げられた場合に、対向突部が遊技球に当接して横方向にずらすことが可能となる。なお、本特徴の構成によれば、遊技盤を前後方向に貫通する挿通孔に後側から可動体を挿通して、可動体を遊技盤に組み付けることが可能となる（特徴Ｂ３）。
【０１００】
［特徴Ｂ４］
前記突起の後側を向く面は、前側へ向かうにつれて上側へ向かうように湾曲した湾曲面である、特徴Ｂ２又はＢ３に記載の遊技機。
【０１０１】
［特徴Ｂ５］
前記湾曲面の最下部における曲率半径が遊技球の半径より大きくなっている、特徴Ｂ４に記載の遊技機。
【０１０２】
［特徴Ｂ６］
前記突起の後側を向く面は、後下がりに傾斜した傾斜面である、特徴Ｂ２又はＢ３に記載の遊技機。
【０１０３】
突起の後側を向く面は、前側へ向かうにつれて上側へ向かうように湾曲した湾曲面であってもよいし（特徴Ｂ４）、後下がりに傾斜した傾斜面であってもよい（特徴Ｂ６）。何れの場合であっても、突起と遊技盤の前面との間に挟まれた遊技球を上側に持ち上げ易くなる。なお、前者の場合には、湾曲面の最下部における曲率半径を遊技球の半径より大きくすることが好ましい（特徴Ｂ５）。
【０１０４】
［特徴Ｂ７］
前記球当接部は、前記進入規制部に対して横方向にずれて配置されている、特徴Ｂ１乃至Ｂ６のうち何れか１に記載の遊技機。
【０１０５】
本特徴に示す構成によれば、進入規制部と遊技盤の前面との間に挟まれた遊技球を横方向にずらし易くなる。
【０１０６】
［特徴Ｂ８］
遊技球が流下可能な遊技領域（遊技領域Ｒ１）を前面側に形成する遊技盤（遊技盤１１）と、
前記遊技盤の前面から突出する前進位置（始動突出位置）と該前進位置よりも突出が抑えられた後退位置（始動退避位置）との間を移動可能な可動体（始動可変部材１４ＢＴ）と、を備え、
前記可動体には、前記前進位置において前記遊技盤の前面との間に遊技球１個分以上の隙間を形成する隙間形成部（規制突部１４３）が備えられていて、
前記可動体が前記前進位置から前記後退位置へ移動するときに、前記隙間形成部と前記遊技盤の前面との間に挟まれる遊技球に当接して該遊技球を横方向にずらす球当接部（球当接部１５０）を備えた、遊技機（遊技機１０）。
【０１０７】
本特徴に示す構成では、隙間形成部と遊技盤の前面との間に挟まれた遊技球が球当接部によって横方向にずらされるので、球噛みが抑制される。
【０１０８】
なお、特徴Ｂ８に示す構成に、特徴Ｂ２〜Ｂ７に示す構成が組み合わされてもよい。その際、特徴Ｂ２〜Ｂ７の「進入規制部」を特徴Ｂ８の「隙間形成部」とすればよい。
【０１０９】
特徴Ｂ群には、上記実施形態の他に、例えば、以下に示される実施形態も含まれる。
【０１１０】
（ｂ１）球当接部１５０は、遊技盤１１の前面に形成された突部で構成されてもよい。この場合、球当接部１５０は、組付孔１４０Ａと干渉しない位置に形成されればよい。特に、規制突部１４３の後面１４３Ｂが上記実施形態で述べたような湾曲面や傾斜面に構成される場合には、球当接部１５０を構成する突部は、前側から見て組付孔１４０Ａの斜め上方に配置されればよい。
【０１１１】
（ｂ２）規制突部１４３の後面１４３Ｂを、山状とする代わりに、上側に凸となる半円状にしてもよい。
【０１１２】
（ｂ３）上記実施形態において、跳ね返し部１６１又は減勢部１６５を備えない構成としてもよい。
【０１１３】
（ｂ４）上記実施形態では、球当接部１５０の全体が規制突部１４３に対して横方向にずれて配置されていたが、球当接部１５０の一部が規制突部１４３に対して横方向にずれて配置されてもよい。この場合、規制突部１４３の後面１４３Ｂのうち最も後側に位置する部分、即ち、峰部１４５と、球当接部１５０のうち最も前側に位置する部分と、が横方向にずれて配置されればよい。
【０１１４】
（ｂ５）特徴Ｂ８の可動体は、上記実施形態のように、入賞口への入球を補助するものであってもよいし、入賞口への入球とは無関係な演出用の役物であってもよい。
【０１１５】
（ｂ６）特徴Ｂ８の可動体は、隙間形成部と遊技盤１１の前面との間隔が変化するように移動すればよく、例えば、鉛直な軸を中心にして回動してもよい。
【０１１６】
＜特徴Ｃ群＞
以下の特徴Ｃ群は、「遊技領域を流下する遊技球が入球可能な入球口を有する」遊技機に関し、「特許文献Ｃ１（特開２０１０−１３１３７４号（段落［００６３］〜［００６４］、図５，６））の遊技機では、入球口の奥行方向にスライドする可動体が遊技球を受け止めて入球口側に転動させる。また、特許文献Ｃ２（特開２０１２−２３５９１６号（段落［０１２７］〜［０１３２］、図１９〜２０））の遊技機では、入球口が上側に開放し、前後にスライドする可動体が入球口を開閉する。」という背景技術について、「特許文献Ｃ１の遊技機では、遊技球が入球口を通りすぎたにもかかわらず、その遊技球が入球口より下方の部材に跳ね返されて入球口に入球するというイレギュラー入球が発生し得た。また、特許文献Ｃ２の遊技機では、入球口に遊技球が入ったにもかかわらず、その遊技球が入球先の収容部の底壁に跳ね返されて入球口から飛び出るという問題が発生し得た。」という課題をもってなされたものである。
【０１１７】
［特徴Ｃ１］
遊技領域（遊技領域Ｒ１）を前面側に形成する遊技盤（遊技盤１１）と、
前記遊技領域を流下する遊技球が入球可能な入球口（第２始動入賞口１４ＢＫ）と、を有する遊技機（遊技機１０）において、
前記遊技領域で遊技球を落下させる落下手段（落下口１０２Ｋ）と、
前記落下手段によって落下させられた遊技球を受止可能な受止部（第３流路構成体１３０の下側転動面１３０Ｍ）と、を有し、
前記入球口は、前記受止部より上側で前記落下手段により落下させられた遊技球を受け入れ可能に構成され、
前記受止部には、受け止めた遊技球を前記入球口とは異なる方向に跳ね返す跳ね返し手段（跳ね返し部１６１）が設けられている、遊技機。
【０１１８】
本特徴に示す構成では、受止部に設けられた跳ね返し手段によって遊技球が入球口とは異なる方向に跳ね返されるので、受止部に跳ね返された遊技球が入球口に到達することが抑制される。これにより、いったん入球した遊技球が受止部に跳ね返されて入球口から飛び出たり、入球口に入球しなかった遊技球が受止部に跳ね返されて入球したりする不具合が抑制される。
【０１１９】
［特徴Ｃ２］
前記入球口は、入球補助部材（始動可変部材１４ＢＴ）を介して前記落下手段により落下させられた遊技球を受け入れ可能に構成され、
前記入球補助部材は、前記受止部の上側に配置され、遊技球を受け止めて前記入球口側へ誘導する第１状態（始動突出位置に配置された状態）と、遊技球を落下させる第２状態（始動退避位置に配置された状態）と、に変化する、特徴Ｃ１に記載の遊技機。
【０１２０】
本特徴に示す構成では、入球補助部材が第２状態であるときに、入球口に遊技球が入球することが抑制される。
【０１２１】
［特徴Ｃ３］
前記跳ね返し手段は、水平面に対して傾斜した傾斜面（受止傾斜面１６２）によって構成されている、特徴Ｃ１又はＣ２に記載の遊技機。
【０１２２】
［特徴Ｃ４］
前記傾斜面の水平面に対する傾斜角が４５度以上である、特徴Ｃ３に記載の遊技機。
【０１２３】
本特徴に示す構成では、簡易な構成によって遊技球を入球口とは異なる方向に跳ね返すことが可能となる。なお、傾斜面の水平面に対する傾斜角は４５度以上であることが好ましい（特徴Ｃ４）。
【０１２４】
［特徴Ｃ５］
前記跳ね返し手段に相対して前記落下手段により落下させられた遊技球の勢いを低減可能な減勢手段（減勢部１６５）を有する、特徴Ｃ１乃至Ｃ４のうち何れか１に記載の遊技機。
【０１２５】
本特徴に示す構成では、落下する遊技球の勢いを減勢手段により低減可能となり、受止部に跳ね返された遊技球が入球口へ到達することが一層抑制される。また、減勢手段は、跳ね返し手段に相対するので、跳ね返し手段によって跳ね返された遊技球を減勢したり、減勢手段によって減勢された遊技球を跳ね返し手段に跳ね返させたりすることが可能となる。
【０１２６】
［特徴Ｃ６］
前記減勢手段は、前記受止部から上方に起立する起立壁（フロントカバー１４６）に形成された突部（減勢突部１６６）により構成されている、特徴Ｃ５に記載の遊技機。
【０１２７】
本特徴に示す構成によれば、突部に遊技球を衝突させてその遊技球の勢いを低減することが可能となる。
【０１２８】
［特徴Ｃ７］
遊技領域（遊技領域Ｒ１）を前面側に形成する遊技盤（遊技盤１１）と、
前記遊技領域を流下する遊技球が入球可能な入球口（第２始動入賞口１４ＢＫ）と、を有する遊技機（遊技機１０）において、
前記遊技領域で遊技球を落下させる落下手段（落下口１０２Ｋ）と、
前記落下手段によって落下させられた遊技球を受止可能な受止部（第３流路構成体１３０の下側転動面１３０Ｍ）と、を有し、
前記入球口は、前記受止部より上側で前記落下手段により落下させられた遊技球を受け入れ可能に構成され、
前記落下手段により落下させられた遊技球が前記受止部に受け止められる前にその遊技球の勢いを低減可能な減勢手段（減勢部１６５）を有する、遊技機。
【０１２９】
本特徴に示す構成では、落下手段により落下させられた遊技球が受止部に受け止められる前に減勢されるので、受止部に跳ね返された遊技球が入球口に到達することが抑制される。これにより、いったん入球した遊技球が受止部に跳ね返されて入球口から飛び出たり、入球口に入球しなかった遊技球が受止部に跳ね返されて入球したりする不具合が抑制される。
【０１３０】
［特徴Ｃ８］
前記受止部には、受け止めた遊技球を前記減勢手段側に跳ね返す跳ね返し手段（跳ね返し部１５０）が設けられている、特徴Ｃ７に記載の遊技機。
【０１３１】
本特徴に示す構成では、減勢手段により減勢されなかった遊技球を減勢手段側に跳ね返すことで減勢し、遊技球が入球口へ到達することを一層抑制可能となる。
【０１３２】
［特徴Ｃ９］
前記跳ね返し手段は、前記減勢手段側に下るように傾斜した傾斜面（受止傾斜面１６２）によって構成されている、特徴Ｃ８に記載の遊技機。
【０１３３】
本特徴に示す構成によれば、簡易な構成によって遊技球を減勢手段側に跳ね返すことが可能となる。
【０１３４】
［特徴Ｃ１０］
遊技領域（遊技領域Ｒ１）を前面側に形成する遊技盤（遊技盤１１）と、
前記遊技領域を流下する遊技球が入球可能な入球口（第２始動入賞口１４ＢＫ）と、を有する遊技機（遊技機１０）において、
前記遊技領域で遊技球を落下させる落下手段（落下口１０２Ｋ）と、
前記落下手段によって落下させられた遊技球を受止可能な受止部（第３流路構成体１３０の下側転動面１３０Ｍ）と、を有し、
前記入球口は、前記受止部より上側で前側又は側方側に開放して前記落下手段により落下させられた遊技球を受け入れ可能に構成され、
前記落下手段により落下させられた遊技球が前記受止部に受け止められるまでに通過可能な落下領域（落下口１０２Ｋの下方空間であって遊技盤１１とフロントカバー１４６との間に挟まれた領域）を前記入球口より下側で落下方向に垂直な方向で狭める絞り部（受止傾斜面１６２及び減勢突部１６６）を有する、遊技機。
【０１３５】
本特徴に示す構成では、落下手段により落下させられた遊技球が通過可能な落下領域が入球口より下側で落下方向に垂直な方向で狭められるので、遊技球が減勢され易く、受止部によって跳ね返された遊技球が入球口に到達することが抑制される。これにより、いったん入球した遊技球が受止部に跳ね返されて入球口から飛び出たり、入球口に入球しなかった遊技球が受止部に跳ね返されて入球したりする不具合が抑制される。
【０１３６】
なお、特徴Ｃ７〜Ｃ９に示す構成に、特徴Ｃ１〜Ｃ６に示す構成が組み合わされてもよい。また、特徴Ｃ１０に示す構成に、特徴Ｃ１〜Ｃ９に示す構成が組み合わされてもよい。なお、この場合、「絞り部」は、跳ね返し手段としての「傾斜面」と、減勢手段としての「突部」で構成される。
【０１３７】
［特徴Ｃ群に含まれる他の実施形態］
特徴Ｃ群には、上記実施形態の他に、例えば、以下に示される実施形態も含まれる。
【０１３８】
（ｃ１）上記実施形態では、特徴Ｃ１〜Ｃ９における入球口は、始動可変部材１４ＢＴによって入球容易な状態と入球困難な状態とに変化する第２始動入賞口１４ＢＫであったが、第１可変部材１５ＡＴによって入球容易な状態と入球困難な状態とに変化する第１大入賞口１５ＡＫであってもよいし、第２可変部材１５ＢＴによって入球容易な状態と入球困難な状態とに変化する第２大入賞口１５ＢＫであってもよい。前者の場合には、上記実施形態と同様に、第１大入賞口１５ＡＫへのイレギュラー入球を抑制可能となる。後者の場合には、第２大入賞口１５ＢＫに遊技球が入ったにもかかわらず、その遊技球が入球先の収容部の底壁に跳ね返されて第２大入賞口１５ＢＫから飛び出るという問題を抑制可能となる。なお、前者の場合の落下手段は、第１可変部材１５ＡＴの右上で右上がりに並べられた道釘によって構成され、後者の場合の落下手段は、第２大入賞口１５ＢＫの右側の開口縁によって構成される。
【０１３９】
（ｃ２）上記実施形態では、「入球口」は、側方側に開放していたが、前側に開放してもよいし、上側に開放してもよい。なお、前者の場合、特徴Ｃ２における入球補助部材は、入球口の奥側へ引っ込んだ状態と入球口から前側に飛び出た状態とに変化する可動舌片で構成されてもよい。
【０１４０】
（ｃ３）落下口１０２Ｋから落下した遊技球の第２始動入賞口１４ＢＫへの入球は、障害釘Ｋによって補助されてもよいし、遊技盤１１の前面より前側に突出する樹脂体によって補助されてもよい。
【０１４１】
（ｃ４）特徴Ｃ１に含まれる形態して、減勢部１６５を備えない構成としてもよい。また、特徴Ｃ７に含まれる形態として、跳ね返し部１６１を備えない構成としてもよい。
【０１４２】
（ｃ５）上記実施形態において、減勢突部１６６は、フロントカバー１４６の後面からではなく、遊技盤１１の前面から突出してもよい。
【０１４３】
（ｃ５）上記実施形態において、減勢部１６５は、遊技盤１１の前面又はフロントカバー１４６の後面に貼り付けられた緩衝材（例えば、ゴムシート）であってもよい。
【０１４４】
（ｃ６）上記実施形態において、始動可変部材１４ＢＴが規制突部１４３を備えない構成であってもよい。
【符号の説明】
【０１４５】
１０    遊技機
１１    遊技盤
１４ＢＫ    第２始動入賞口
１４ＢＴ    始動可変部材
１０２Ｋ    落下口
１４３    規制突部
１６１    跳ね返し部
１６５    減勢部
Ｒ１    遊技領域
【図１】
2019165947.tif 000003
【図２】
2019165947.tif 000004
【図３】
2019165947.tif 000005
【図４】
2019165947.tif 000006
【図５】
2019165947.tif 000007
【図６】
2019165947.tif 000008
【図７】
2019165947.tif 000009
【図８】
2019165947.tif 000010
【図９】
2019165947.tif 000011
【図１０】
2019165947.tif 000012
【図１１】
2019165947.tif 000013